(57)【特許請求の範囲】
【請求項１】
通信ネットワークを介して、情報処理装置と広告情報サーバとが接続されている広告情報提供システムにおいて、
前記情報処理装置は、
前記情報処理装置の設置場所に関連する情報を含む付加情報を入力する入力手段と、
視聴者の存在を感知する利用状況感知センサーと、
前記利用状況感知センサーが視聴者の存在を感知していない場合に、前記入力された付加情報と広告要求信号とを前記広告情報サーバに送信する手段と、
前記広告情報サーバから複数の広告情報を受信すると、前記受信した複数の広告情報を保存する広告記憶領域と、
前記利用状況感知センサーが視聴者の存在を感知すると、この感知の際に入力されている付加情報に前記広告記憶領域に保存されている広告情報の一覧を含めた情報である第２の付加情報を前記広告情報サーバに送信する手段と、
所定の広告情報を指定する情報である広告情報指定情報を前記広告情報サーバから受信すると、前記受信した広告情報指定情報に係る広告情報であって前記広告記憶領域に保存されている広告情報を表示する表示装置と、
を有し、前記広告情報サーバは、
複数の広告情報を保存する広告データベースと、
前記広告要求信号と前記付加情報とを前記情報処理装置から受信すると、前記広告データベースに保存されている複数の広告情報の中から、前記受信した付加情報に基づいて、この付加情報に関連する広告情報を複数選択する第１の広告選択手段と、
前記選択した複数の広告情報を前記情報処理装置に送信する手段と、
前記第２の付加情報を前記情報処理装置から受信すると、前記受信した第２の付加情報に含まれる広告情報の一覧の中から、前記受信した第２の付加情報に含まれる付加情報に基づいて、この付加情報に関連する広告情報を選択する第２の広告選択手段と、
前記選択した広告情報に係る広告情報指定情報を前記情報処理装置に送信する手段と、
を有することを特徴とする広告情報提供システム。
【請求項２】
前記情報処理装置は、
視聴者からの入力情報を感知する画面選択用センサーと、
前記画面選択用センサーが視聴者からの入力情報を感知すると、この感知した入力情報を前記広告情報サーバとの間で双方向通信を行うための第３の付加情報として前記広告情報サーバに送信する手段と、
を有することを特徴とする請求項１に記載の広告情報提供システム。
【請求項３】
前記広告情報サーバは、前記情報処理装置に送信した広告情報指定情報に係る第２の付加情報を系統化して収集する利用状況収集手段を有することを特徴とする請求項１または請求項２に記載の広告情報提供システム。
【請求項４】
前記画面選択用センサーは、赤外線による光センサーであり、波長の異なる赤外線を照射して、反射された波長を検出することによって、視聴者からの入力情報を感知することを特徴とする請求項２に記載の広告情報提供システム。
【請求項５】
前記画面選択用センサーは、赤外線による光センサーであり、それぞれのセンサーについて特有の照射間隔である断続的な照射を行い、反射された照射間隔を検出することによって、視聴者からの入力情報を感知することを特徴とする請求項２に記載の広告情報提供システム。
【請求項６】
前記利用状況感知センサーは、前記情報処理装置前の所定の距離の範囲内において光を遮る物体が所定時間存在することを検出することによって、視聴者の存在を感知することを特徴とする請求項１〜請求項５のいずれか１項に記載の広告情報提供システム。
【請求項７】
前記付加情報は、前記情報処理装置の設置場所における天気または温度を含む情報であることを特徴とする請求項１に記載の広告情報提供システム。
【発明の詳細な説明】
【０００１】
【発明の属する技術分野】
本発明は、広告情報の提供を行うシステムに関し、特に視聴者と双方向の情報伝達が可能であり、正確な利用状況を把握することが可能な広告情報提供システムに関する。
【０００２】
【従来の技術】
公共のスペースにおける広告については、今までポスターまたは看板または単なるＶＴＲ画像などによる表示がほとんどであった。しかし、媒体がポスターや看板では画像的な変化の内容の変化がないため、意識化されにくく注目度が低くなってしまい宣伝効果の面で充分でなく、また、最新情報の提供や時間帯による情報の変化などに対応できないため、広告内容が固定されていた。
【０００３】
媒体が単なるＶＴＲ画像の場合には画像的な変化や内容の変化があり、最新情報の提供や時間帯による情報の変化に対応することは可能であるものの、情報を送出し続けるだけであり、不特定多数の視聴者に対する一方的な情報提供となっていた。また、広告映像を途中から部分的にしか視聴しない視聴者や、全く視聴せずに通過するだけの通行人が多いために、広告効果を把握することが難しかった。
【０００４】
そこで、上述した問題を解決するために、サーバとタッチパネルを備えたディスプレイをネットワークで接続し、視聴者の入力に応じて表示内容の提供を行うことの出来る技術が特開２０００−２３１３６９に、表示部上部に取り付けられた撮影部で視聴者の反応を収集することで広告効果を確認する技術が特開平１１−１５３９７７において開示されている。
【０００５】
しかし、特開２０００−２３１３６９の発明においては、視聴者が何らかの操作を行わない限り視聴者の人数を把握することは困難であり、特開平１１−１５３９７７の発明においては、視聴者の反応を映像で確認することが出来るという利点はあるものの、長期間におよぶ視聴者人数の調査や、広告効果の把握には利用できないという問題があった。
【０００６】
【発明が解決しようとする課題】
以上の従来技術の問題点を解決するために本願発明は、不特定多数の人が使用し、利用率の高い公共のスペースにおいて、広告効果の確認が容易であり、タイムリーな情報を提供し、視聴者と双方向で情報の交換が可能であり、正確な視聴者数や広告効果の情報を簡便に収集可能な広告情報提供システムを提供することを課題とする。
【課題を解決するための手段】
【００１１】
前記課題を解決するための広告情報提供システムは、通信ネットワークを介して、情報処理装置と広告情報サーバとが接続されている広告情報提供システムにおいて、前記情報処理装置は、前記情報処理装置の設置場所に関連する情報を含む付加情報を入力する入力手段と、視聴者の存在を感知する利用状況感知センサーと、前記利用状況感知センサーが視聴者の存在を感知していない場合に、前記入力された付加情報と広告要求信号とを前記広告情報サーバに送信する手段と、前記広告情報サーバから複数の広告情報を受信すると、前記受信した複数の広告情報を保存する広告記憶領域と、前記利用状況感知センサーが視聴者の存在を感知すると、この感知の際に入力されている付加情報に前記広告記憶領域に保存されている広告情報の一覧を含めた情報である第２の付加情報を前記広告情報サーバに送信する手段と、所定の広告情報を指定する情報である広告情報指定情報を前記広告情報サーバから受信すると、前記受信した広告情報指定情報に係る広告情報であって前記広告記憶領域に保存されている広告情報を表示する表示装置とを有し、前記広告情報サーバは、複数の広告情報を保存する広告データベースと、前記広告要求信号と前記付加情報とを前記情報処理装置から受信すると、前記広告データベースに保存されている複数の広告情報の中から、前記受信した付加情報に基づいて、この付加情報に関連する広告情報を複数選択する第１の広告選択手段と、前記選択した複数の広告情報を前記情報処理装置に送信する手段と、前記第２の付加情報を前記情報処理装置から受信すると、前記受信した第２の付加情報に含まれる広告情報の一覧の中から、前記受信した第２の付加情報に含まれる付加情報に基づいて、この付加情報に関連する広告情報を選択する第２の広告選択手段と、前記選択した広告情報に係る広告情報指定情報を前記情報処理装置に送信する手段とを有することを特徴とする。
また、前記広告情報サーバは、前記情報処理装置に送信した広告情報指定情報に係る第２の付加情報を系統化して収集する利用状況収集手段を有することを特徴とする。
【００１２】
視聴者の感知が無い時点で広告を予め配信して広告記憶領域に保存することにより、広告データベースから逐次ダウンロードを行うことなく広告情報を再生することが可能となり、広告再生までの時間が短縮される。また、広告選択手段が付加情報に基づき広告を選択することで、広告表示を行う環境に適した広告情報を選択的に配信することが可能となる。さらに、利用状況収集手段によって視聴者の数や視聴された状況について統計的に情報を収集することが可能となる。
【００１３】
また前記課題を解決するための広告情報提供システムは、前記情報処理装置は、視聴者からの入力情報を感知する画面選択用センサーと、前記画面選択用センサーが視聴者からの入力情報を感知すると、この感知した入力情報を前記広告情報サーバとの間で双方向通信を行うための第３の付加情報として前記広告情報サーバに送信する手段とを有することを特徴とする。
【００１４】
視聴者の感知が無い時点で広告を予め配信して広告記憶領域に保存することにより、広告データベースから逐次ダウンロードを行うことなく広告情報を再生することが可能となり、広告再生までの時間が短縮される。また、広告選択手段が付加情報に基づき広告を選択することで、広告表示を行う環境に適した広告情報を選択的に配信することが可能となる。さらに、利用状況収集手段によって視聴者の数や視聴された状況について統計的に情報を収集することが可能となる。また、画面選択用センサーから視聴者が情報の入力を行うことが出来るので、双方向の広告活動が可能であり、視聴者の属性情報などに対応した広告選択も可能になり、詳細な利用状況の収集も可能となる。
【００１５】
また前記課題を解決するための広告情報提供システムは、前記画面選択用センサーは、赤外線による光センサーであり、波長の異なる赤外線を照射して、反射された波長を検出することによって、視聴者からの入力情報を感知することを特徴とする。
【００１６】
これにより、複数の画面選択用センサーを備えた広告ディスプレイにおいても、視聴者がどの入力操作を行ったかを正確に認識することが可能となる。
【００１７】
また前記課題を解決するための広告情報提供システムは、前記画面選択用センサーは、赤外線による光センサーであり、それぞれのセンサーについて特有の照射間隔である断続的な照射を行い、反射された照射間隔を検出することによって、視聴者からの入力情報を感知することを特徴とする。
【００１８】
これにより、複数の画面選択用センサーを備えた広告ディスプレイにおいても、視聴者がどの入力操作を行ったかを正確に認識することが可能となる。
【００１９】
また前記課題を解決するための広告情報提供システムは、前記利用状況感知センサーは、前記情報処理装置前の所定の距離の範囲内において光を遮る物体が所定時間存在することを検出することによって、視聴者の存在を感知することを特徴とする。
【００２０】
これにより、単なる通行人などに対して広告情報を再生することがなくなり、より正確に視聴者数をカウントして利用状況収集を行うことが可能となる。
【００２１】
【実施の形態１】
以下、本発明の実施の形態１について図を参照しながら説明する。図１は本発明における広告提供システムの構成を示した図であり、公共のスペースとして公衆トイレを例としてあげている。
本発明の広告提供システムは、複数の広告依頼主（クライアント）１と、広告を制作し配信し利用情報を収集する代理店２と、公共スペースである公衆トイレ３と、広告情報サーバ４と、公共スペースの管理を行うトイレ管理者５と、広告を表示し利用状況の検知を行う広告ディスプレイ６と、インターネット等の通信ネットワーク１００とで構成される。
【００２２】
クライアント１は視聴者２０に対して広告活動を行うために、代理店２に対して広告を依頼し、製作費を含めた広告料を代理店２に支払う。
代理店２は、広告ディスプレイ６の広告提供や情報収集を行う広告情報サーバ４の運営管理を行い、クライアント１の要求により広告を制作し、その広告料を徴収する。また、実際に公衆トイレ３でこのサービスを視聴した人数などの利用情報をクライアント１に対して報告し、その効果をアピールする。また、トイレ管理者５に対しては、管理する公衆トイレ３に、広告ディスプレイ６の機材を設置することを斡旋し、機材設置後は、トイレ管理者５に対してその使用料を支払う。
【００２３】
公衆トイレ３は、公共のスペースであり、不特定多数の人が使用する施設である。ここでは公衆トイレとしたが、公共のスペースで利用者が多数訪れる空間であればよい。
広告情報サーバ４は、代理店２の管理者により使用されるワークステーション等の情報処理装置であり、図３に示すように広告データベース４１と、広告選択手段４２と、利用状況収集手段４３と、通信手段４４とを有している。
広告データベース４１は代理店が制作した広告をmpeg形式やAVI形式などのコンピュータが再生可能な形式で保存及び管理を行い、広告選択手段４２は時間帯や利用状況や天候等の状況により広告データベース４１に保存されている広告から最適な広告を選択し、利用状況収集手段４３は各広告ディスプレイ６の利用状況や広告選択手段４２の選択した広告に関しての統計的情報収集を行い、通信手段４４は広告や利用状況などの情報を広告ディスプレイ６との間で通信する。
【００２４】
トイレ管理者５は、広告ディスプレイ６の設置および保守の協力をし、代理店２から管理費等の支払いを受ける。
広告ディスプレイ６は図２に示すように、公衆トイレ３の便器７近辺に設置された本発明の広告システムに特化した情報処理装置であり、利用状況感知センサー８と、画面選択用センサー９と、液晶パネルなどの表示装置１０と、情報処理手段１１と、通信手段１２とを備え、通信ネットワーク１００を介して広告情報サーバ４と通信を行うように接続されている。
【００２５】
便器７は、視聴者が利用する設備であり、視聴者が所定の用事を済ませる間の一定時間は滞在することが望ましい。
利用状況感知センサー８は、赤外線による光センサーなどの装置であり、所定の位置に光を遮る物体が存在するかを感知する。
画面選択用センサー９は、スイッチやタッチパネルのような入力装置であるが、不特定多数の利用者が操作することを考慮して、非接触で入力可能な赤外線センサーによる感知装置を使用することが望ましい。複数のセンサーを備えている場合には、視聴者がどのセンサーを選択して入力したかを判別するために、波長の異なる赤外線を照射して検知するか、もしくは、赤外線の照射間隔を異なる設定にして（0.10秒間隔、0.15秒間隔、0.20秒間隔など）照射間隔を検知することなどの工夫を適宜行うことが望ましい。
表示装置１０は、動画を含む映像を広告として表示するための装置であり、液晶パネルやプラズマディスプレイやLEDや有機ELデバイスなどの装置である。
【００２６】
次に、本発明における実施の形態１の動作について図１、図２を参照して詳細に説明する。なお、以降の説明において通信ネットワーク１００はインターネットであるとする。
代理店２はクライアント１から依頼された広告を制作し、そのデータを広告データベース４１に保存する。広告としては、例えばＴＶのＣＭのような一般的な商品紹介の広告であったり、デパートであればタイムサービスの情報や催し物の案内などである。
【００２７】
公衆トイレ３において、便器７の前面に視聴者２０が存在するか否かを赤外線による光センサー８により判断する。視聴者存在確認の際には、単なる通行者を視聴者と誤認しないために、所定の距離の範囲内に所定の時間滞在していることを確認することが望ましい。
視聴者２０の存在が確認された場合には、情報処理手段１１は通信手段１２により通信ネットワーク１００を介して広告情報サーバ４に対して広告要求信号および付加情報を送出し、表示装置１０の電源を入れる。付加情報としては、時刻や広告ディスプレイ設置場所や現地の天気等であり、予めトイレ管理者５により設定されているか、図示しない入力装置により情報処理手段１１に適宜入力が行われるとする。
【００２８】
広告情報サーバ４は、広告ディスプレイ６からの広告要求信号を受信した場合、広告選択手段４２が付加情報等を基にして広告データベース４１に記録されている広告情報のうちから最適な広告情報を選択し、通信手段４４から通信ネットワーク１００を介して広告ディスプレイ６に広告情報を送信する。同時に利用状況収集手段４３は、該当する広告情報が送信されたことを広告情報データベース４１に記録し、あわせて付加情報を系統化して広告データベース４１に収集する。
例としては、午後２時に高速道路サービスエリアの男性用トイレから広告要求信号と付加情報として気温３２度が送られた場合には、冷たい清涼飲料水の広告を選択し送信し、付加情報および送信数を記録するという動作を行う。
【００２９】
広告ディスプレイ６では、通信手段１２で広告情報を受信し、情報処理手段１１によって表示装置１０に再生表示される。
表示される広告情報にはアンケートや占いなどの、視聴者２０からの情報入力を促す内容を含めていた場合、視聴者２０は表示装置１０の画面表示に従って画面選択用センサー９の該当部分に手をかざすことで入力を行い、情報処理手段１１は視聴者２０の入力した情報を付加情報として、再度広告サーバ４に対して広告要求信号および付加情報の送信を行う。この動作サイクルを繰り返し行うことにより、視聴者２０と双方向の情報交換を行う。
【００３０】
利用状況感知センサー８により、広告ディスプレイ６付近に滞在している視聴者を識別することで、単なる通行人に対して広告を流すことなく、正確な視聴者数を把握することが可能になり、また、広告の流すタイミングがはかれるので広告の頭の部分から情報を流すことができる。さらに、利用状況収集手段４３により広告送信回数や広告放映場所の統計的資料を収集することが可能となるので、宣伝効果についてクライアント１に対し報告できるようになる。
また、広告ディスプレイ６が画面選択用センサー９を備えているために、任意のアンケートやクイズや占いなどが実施可能となり、双方向通信を行うことで利用人数だけなく、利用者の志向や傾向などの情報を入手することが可能になる。また、情報は一方的な配信だけでなく、視聴者２０が見たい情報を選択することもできるようになる。
【００３１】
【実施の形態２】
次に、本発明の実施の形態２について図を参照しながら説明する。図４は本発明における広告提供システムの実施の形態２における広告ディスプレイ６の構成を示した図である。
実施の形態２における広告ディスプレイ６は、便器７と、利用状況感知センサー８と、画面選択用センサー９と、表示装置１０と、情報処理手段１１と、通信手段１２と、広告記憶領域１３とを備え、通信手段１２は通信ネットワーク１００に接続されている。
実施の形態１との構成の相違点は、広告ディスプレイ６が広告記憶領域１３を有している点であり、システム全体の構成および広告情報サーバ４の構成は実施の形態１と同様であり、それぞれ図１および図３に示されている。
【００３２】
次に、実施の形態２における動作について、図１、図２を参照して詳細に説明する。
代理店２はクライアント１から依頼された広告を制作し、そのデータを広告データベース４１に保存する。広告としては、例えばＴＶのＣＭのような一般的な商品紹介の広告であったり、デパートであればタイムサービスの情報や催し物の案内などである。
【００３３】
公衆トイレ３において、便器７の前面に視聴者２０が存在するか否かを赤外線による光センサー８により判断する。視聴者存在確認の際には、単なる通行者を視聴者２０と誤認しないために、所定の距離の範囲内に所定の時間滞在していることを確認することが望ましい。
【００３４】
視聴者２０の存在が確認されない場合には、情報処理手段１１は通信手段１２により通信ネットワーク１００を介して広告情報サーバ４に対して広告要求信号および付加情報を送出する。付加情報としては、時刻や広告ディスプレイ設置場所や現地の天気等であり、予めトイレ管理者５により設定されているか、図示しない入力装置により情報処理手段１１に適宜入力が行われるとする。
広告情報サーバ４は、広告ディスプレイ６からの広告要求信号を受信した場合、広告選択手段４２が付加情報等を基にして広告データベース４１に記録されている広告情報のうちから適切な広告情報を複数選択し、通信手段４４から通信ネットワーク１００を介して広告ディスプレイ６に広告情報を送信する。
広告ディスプレイ６は、広告情報サーバ４から送信された広告情報を広告記憶領域１３に保存し蓄えておく。
【００３５】
視聴者２０の存在が確認された場合には、情報処理手段１１は通信手段１２により通信ネットワーク１００を介して広告情報サーバ４に対して付加情報を送出し、表示装置１０の電源を入れる。この際の付加情報としては、時刻や広告ディスプレイ設置場所や、現地の天気に加え、広告記憶領域１３に保存されている広告情報の一覧を含めておく。
【００３６】
広告情報サーバ４は、広告ディスプレイ６からの付加情報を受信した場合、広告選択手段４２が付加情報等を基にして付加情報に含まれる広告情報一覧に記載されている広告情報のうちから最適な広告情報を選択し、通信手段４４から通信ネットワーク１００を介して広告ディスプレイ６に該当する広告情報指定情報を送信する。同時に利用状況収集手段４３は、該当する広告情報が放映されたことを広告情報データベース４１に記録し、あわせて付加情報を系統化して広告データベース４１に収集する。
例としては、午後２時に高速道路サービスエリアの男性用トイレから広告要求信号と付加情報として気温３２度が送られた場合には、付加情報に含まれた広告情報一覧のなかから冷たい清涼飲料水の広告を選択し広告情報指定情報を送信し、付加情報および送信数を記録するという動作を行う。
【００３７】
広告ディスプレイ６では、通信手段１２で広告情報指定情報を受信し、情報処理手段１１によって広告記憶領域１３に保存されている該当する広告情報を表示装置１０に再生表示する。
表示される広告情報にはアンケートや占いなどの、視聴者２０からの情報入力を促す内容を含めていた場合、視聴者２０は表示装置１０の画面表示に従って画面選択用センサー９の該当部分に手をかざすことで入力を行い、情報処理手段１１は視聴者２０の入力した情報を付加情報として、再度広告サーバ４に対して付加情報の送信を行う。この動作サイクルを繰り返し行うことにより、視聴者２０と双方向の情報交換を行う。
【００３８】
広告ディスプレイ６が広告記憶領域１３を備え、視聴者２０が存在しない時に予め広告情報サーバ４から広告情報を受信して広告記憶領域１３に保存しておくことで、視聴者２０が現れてからの広告情報のダウンロードを省略することが可能となり、広告情報の再生開始までの時間を短縮することが可能となる。
また、利用状況感知センサー８により、広告ディスプレイ６付近に滞在している視聴者を識別することで、単なる通行人に対して広告を流すことなく、正確な視聴者数を把握することが可能になり、また、広告の流すタイミングがはかれるので広告の頭の部分から情報を流すことができる。さらに、利用状況収集手段４３により広告送信回数や広告放映場所の統計的資料を収集することが可能となるので、宣伝効果についてクライアント１に対し報告できるようになる。
また、広告ディスプレイ６が画面選択用センサー９を備えているために、任意のアンケートやクイズや占いなどが実施可能となり、双方向通信を行うことで利用人数だけなく、利用者の志向や傾向などの情報を入手することが可能になる。また、情報は一方的な配信だけでなく、視聴者２０が見たい情報を選択することもできるようになる。
【００３９】
【発明の効果】
例えば、表示内容が変化する広告ディスプレイを公衆トイレの各便器の目の前に設置すれば、公衆トイレを使用中、視点は広告ディスプレイに集中するために、宣伝効果が非常に高い。
広告ディスプレイの広告は、インターネットのような通信ネットワークから配信されるので、常に最新の情報を流すことができるため、常に新しい情報を提供できる。よって、例えばデパートにおいて、直前に決定したタイムサービスのような情報も流すことが可能となる。
赤外線などを用いた複数の画面選択用センサーを用いることで画面の情報を選択させ、アンケートなど視聴者の情報が入手できるために、視聴者の志向や傾向の情報が入手できる。
情報サービスはインターネットのような通信ネットワーク経由で配信されるので、例えば、空港や高速道路のサービスエリアに同じコンテンツを流すことが可能となるため、コンテンツ（情報サービス）が共有化できることである。例としては施設に関係する情報以外で、天気予報やプロ野球の試合結果や占いなどの情報を共通化して提供できる。
広告ディスプレイの広告記憶領域に予め広告情報をダウンロードしておき、広告情報サーバは広告の選択を行って利用状況を収集するために、視聴者毎に広告情報をダウンロードする必要が無くなり、広告再生までの時間を短縮することが可能となる。
【図面の簡単な説明】
【図１】本発明における広告システム実施例の構成を示す図
【図２】実施の形態１における広告ディスプレイの構成を示す図
【図３】広告情報サーバの構成を示す図
【図４】実施の形態２における広告ディスプレイの構成を示す図
【符号の説明】
１…広告依頼主
２…代理店
３…公衆トイレ
４…広告情報サーバ
４１…広告データベース
４２…広告選択手段
４３…利用状況収集手段
４４…通信手段
５…トイレ管理者
６…広告ディスプレイ
７…便器
８…利用状況感知センサー
９…画面選択用センサー
１０…表示装置
１１…情報処理手段
１２…通信手段
１３…広告記憶領域
２０…視聴者
１００…通信ネットワーク
【図１】
0003641423.tif 000002
【図２】
0003641423.tif 000003
【図３】
0003641423.tif 000004
【図４】
0003641423.tif 000005